(57)【要約】【目的】取り外しの際等にコードを引っ張っても、コードの断線や抜けが発生しないようにする。【構成】スピーカーのみならず、マイクロホンが設けられた携帯電話のヘッドセットに用いられる耳掛けハンガーであって、スピーカー及びマイクロホンに接続されたコードを耳介の形状に対応した形状に固める１次成形部１１０と、この１次成形部１１０を包み込んで１次成形部１１０の形状に沿って形成される２次成形部１２０とを有している。【選択図】　　　図１
2004104428.tif 000002
【特許請求の範囲】
【請求項１】
スピーカーに接続されたコードを耳介の形状に対応した形状に固める１次成形部と、この１次成形部を包み込んで１次成形部の形状に沿って形成される２次成形部とを具備したことを特徴とするヘッドホン等に用いられる耳掛けハンガー。
【請求項２】
前記２次成形部は、１次成形部より柔軟な素材からなることを特徴とする請求項１記載のヘッドホン等に用いられる耳掛けハンガー。
【請求項３】
前記１次成形部の素材は、エラストマー樹脂、ポリプロピレン、ナイロンのいずれかであり、前記２次成形部の素材は、エラストマー樹脂、ポリウレタンのいずれかであることを特徴とする請求項１又は２記載のヘッドホン等に用いられる耳掛けハンガー。
【請求項４】
前記１次成形部は、略つ字形状に形成されていることを特徴とする請求項１、２又は３記載のヘッドホン等に用いられる耳掛けハンガー。
【発明の詳細な説明】
【０００１】
【発明の属する技術分野】
本発明は、携帯式オーディオプレイヤーのヘッドホンや携帯電話のヘッドセット等に用いられるヘッドホン等に用いられる耳掛けハンガーに関する。
【０００２】
【従来の技術】
例えば、携帯式オーディオプレイヤーは、ヘッドホンを用いて音楽等を聴取するようになっている。かかるヘッドホンには、いくつかのタイプがあるが、現在最も普及しているものは、耳介に引っかけて装着する耳掛けハンガーと、この耳掛けハンガーに埋め込まれたコードと、このコードに接続されたスピーカーから構成されるいわゆるコード埋め込みタイプである（例えば、特許文献１参照。）。
【０００３】
この種のヘッドホンでは、耳掛けハンガーを耳介に引っかけて装着すると、スピーカーが外耳道に臨むようになっている。このヘッドホンでは、耳介の外部にはみ出さないような小型のスピーカーが使用される。
【０００４】
また、大型のスピーカーを使用したいわゆる２ピースタイプのものがある（例えば、特許文献２参照。）。この２ピースタイプのヘッドホンでは、耳介のほぼ全体を覆うような大型のスピーカーと、このスピーカーを耳介に引っかけるための耳掛けハンガーとを有している。この耳掛けハンガーは、スピーカーの外部に矢印方向に回動可能に取り付けられており、使用者の耳介の形状に合わせるようになっている。
【０００５】
【特許文献１】
特開平１０−２４３４９２号公報（第３−４頁、図１）
【特許文献２】
特開２０００−１６５９７６号公報（第３−４頁、図１）
【０００６】
【発明が解決しようとする課題】
しかしながら、上述した特許文献１に記載されたコード埋め込みタイプのヘッドホンでは、取り外しの際にコードを引っ張ると、コードの断線が発生するおそれがある。また、耳掛けハンガーは射出成形で形成するが、耳掛けハンガーの金型はアンダーカット形状となっているので、過大な力を耳掛けハンガーに加えるいわむる無理抜きなり、成形性が悪いという問題がある。さらに、射出成形の際の圧力によってコードが耳掛けハンガーから外側に飛び出て、外観不良品となることがある。
【０００７】
また、上述した特許文献２に記載された２ピースタイプのヘッドホンでは、スピーカーと耳掛けハンガーとの接続工程が必要となり、コストアップの要因となる。
【０００８】
本発明は上記事情に鑑みて創案されたものであって、取り外しの際等にコードを引っ張っても、コードの断線や抜けが発生せず、成形性に優れ、かつコードが耳掛けハンガーの外側に飛び出すというような外観不良が発生しないヘッドホン等に用いられる耳掛けハンガーを提供することを目的としている。
【０００９】
【課題を解決するための手段】
本発明に係るヘッドホン等に用いられる耳掛けハンガーは、スピーカーに接続されたコードを耳介の形状に対応した形状に固める１次成形部と、この１次成形部を包み込んで１次成形部の形状に沿って形成される２次成形部とを備えている。
【００１０】
【発明の実施の形態】
図１は本発明の実施の形態に係るヘッドホン等に用いられる耳掛けハンガーの概略的平面図、図２は本発明の実施の形態に係るヘッドホン等に用いられる耳掛けハンガーの製造工程を示す概略的斜視図、図３は本発明の実施の形態に係るヘッドホン等に用いられる耳掛けハンガーを用いたヘッドセットの概略的平面図、図４は本発明の実施の形態に係るヘッドホン等に用いられる耳掛けハンガーを用いたヘッドセットの使用状態を示す概略的説明図である。
【００１１】
本発明の第１の形態に係るヘッドホン等に用いられる耳掛けハンガー１００は、スピーカー（図示省略）のみならず、マイクロホン（図示省略）が設けられた携帯電話のヘッドセットＡに用いられる耳掛けハンガーであって、スピーカー及びマイクロホンに接続されたコードを耳介Ｅの形状に対応した形状に固める１次成形部１１０と、この１次成形部１１０を包み込んで１次成形部１１０の形状に沿って形成される２次成形部１２０とを有している。
【００１２】
かかる耳掛けハンガー１００を用いたヘッドセットＡは、図４に示すように、耳掛けハンガー１００を耳介Ｅに引っかけると、スピーカーは耳介Ｅに開口した外耳道（図示省略）に臨み、マイクロホンは、口Ｍの若干上方の頬Ｃの横位置に臨むようになっている。
【００１３】
このヘッドセットＡは、図３及び図４に示すように、耳掛けハンガー１００と、この耳掛けハンガー１００の内部に一部が埋没したコード２００と、このコード２００の先端に設けられたジャック（図示省略）と、前記耳掛けハンガー１００の一端、すなわち前記コード２００が延出されている側と反対の側に、耳掛けハンガー１００と一体に設けられたスピーカー・マイクロホン部３００とを有している。
【００１４】
前記耳掛けハンガー１００は、１次成形部１１０とそれを包み込む２次成形部１２０とから構成されている。
【００１５】
前記１次成形部１１０は、一般的な使用者の耳介Ｅの形状に合致するように下向きの略つ字形状になっている。ここで、図２（Ｂ）に示すように、長い側を長部側１１１、短い側を短部側１１２とする。前記長部側１１１及び短部側１１２の端部からは、前記コード２００が延出されている。このコード２００うち、長部側１１１から延出されたコード２００にはジャックが、短部側１１２から延出されたコード２００には、スピーカー及びマイクロホンがそれぞれ電気的に接続されている。
【００１６】
かかる１次成形部１１０は、図２（Ａ）に示すように、コード２００を一般的な使用者の耳介Ｅの形状に合致するような略つ字形状に湾曲させ、その上からコード２００を包み込むようにして成形されるのである（図２（Ｂ）参照）。この１次成形部１１０の素材としては、ＴＰＥ等のエラストマー樹脂、ポリプロピレン、ナイロン等が好適である。なお、この１次成形部１１０は、射出成形によって形成される。
【００１７】
前記２次成形部１２０は、図２（Ｃ）に示すように、前記１次成形部１１０を包み込んで１次成形部１１０の形状に沿って形成される。従って、２次成形部１２０も、１次成形部１１０と同様に一般的な使用者の耳介Ｅの形状に合致するような略つ字形状に成形される。なお、前記１次成形部１１０の長部側１１１は完全に２次成形部１２０に埋没し、短部側１１２の端部は２次成形部１２０の端部から突出するようにしておく。また、前記１次成形部１１０の長部側１１１が埋没した部分の端部には、コード２００の折れ曲がりによる断線を防止するためのブッシュ１２１が形成されている。また、この２次成形部１２０は、射出成形によって形成される。
【００１８】
かかる２次成形部１２０の素材としては、エラストマー樹脂、ポリウレタン等が好適である。すなわち、前記２次成形部１２０は、１次成形部１１０より柔軟な素材から構成されるのである。
【００１９】
前記コード２００は、一端には携帯電話の外部端子に接続されるジャック（図示省略）が接続されている。また、他端には、マイクロホン及びスピーカーが接続されている。
【００２０】
前記スピーカー・マイクロホン部３００は、図３及び図４に示すように、変形く字形状に形成されており、屈曲部分にはスピーカーが内蔵されている。従って、スピーカー・マイクロホン部３００の屈曲部分３１０は、他の部分より若干太めに形成されており、スピーカーからの音声を外部に導くための音孔３１１が左右両面に開設されている。
【００２１】
また、前記スピーカー・マイクロホン部３００の先端、すなわちスピーカー・マイクロホン部３００を耳掛けハンガー１００に取り付けた場合の先端部分には、マイクロホンが内蔵されている。従って、スピーカー・マイクロホン部３００の先端部分３２０には、音声を内部のマイクロホンに導くための音孔３２１が左右両面に設けられている。
【００２２】
なお、前記音孔３１１、３２１が左右両面に設けられているのは、このヘッドセットＡを使用者が左右のいずれの耳介Ｅに装着しても支障がないようにするためである。
【００２３】
このように構成されたスピーカー・マイクロホン部３００は、左右に分割された２ピースであり、耳掛けハンガー１００の２次成形部１２０から突出した１次成形部１１０の短部側１１２に被せられるようにして、耳掛けハンガー１００に取り付けられる。
【００２４】
このようにして構成されたヘッドセットＡは、図４に示すように、例えば右側の耳介Ｅに耳掛けハンガー１００を利用して装着すると、右側の耳介Ｅの外耳道にはスピーカーが、右側の頬Ｃの横、すなわち口Ｍの若干上方にはマイクロホンがそれぞれ臨むようになっている。かかる状態でヘッドセットＡのジャックを携帯電話の外部端子に接続すると、携帯電話のスピーカーの代わりにヘッドセットＡのスピーカーが、携帯電話のマイクロホンの代わりにヘッドセットＡのマイクロホンがそれぞれ機能するようになる。
【００２５】
なお、このヘッドセットＡを耳介Ｅに装着すると、耳掛けハンガー１００の１次成形部１１０の長部側１１１は耳介Ｅと後頭部Ｈとの境目の後側に位置することになり、耳掛けハンガー１００の大きく湾曲した部分は、耳介Ｅと後頭部Ｈとの境目のほぼ頂部に位置することになる。
【００２６】
例えば図４に示すような状態でヘッドセットＡを使用している間に、コード２００が引っ張られるような外力が加えられても、外力は耳掛けハンガー１００の１次成形部１１０と２次成形部１２０とで保持されているため、コード２００は容易に耳掛けハンガー１００からは抜けることがない。
【００２７】
なお、上述した実施の形態は、スピーカーとマイクロホンとを有するヘッドセットの場合であったが、本発明に係るヘッドホン等に用いられる耳掛けハンガーは、いずれか一方しか持たないものにも適用することができることはいうまでもない。また、本発明に係るヘッドホン等に用いられる耳掛けハンガーは、携帯式オーディオプレイヤーのヘッドホンのように左右両側の耳介Ｅに装着するものであっても適用することができることはいうまでもない。
【００２８】
さらに、上述した実施の形態におけるヘッドセットＡ全体のデザイン、スピーカー・マイクロホン部３００等のデザインは一例であって、適宜変更することが可能である。
【００２９】
【発明の効果】
本発明に係るヘッドホン等に用いられる耳掛けハンガーは、スピーカーに接続されたコードを耳介の形状に対応した形状に固める１次成形部と、この１次成形部を包み込んで１次成形部の形状に沿って形成される２次成形部とを備えている。
【００３０】
従って、このヘッドホン等に用いられる耳掛けハンガーを利用したヘッドセットを耳介に装着して使用している間に、コードが引っ張られるような外力が加えられても、外力は耳掛けハンガーの１次成形部と２次成形部とで保持されているため、コードは容易に耳掛けハンガーから抜けることがなく、しかも断線しにくい。また、１次成形部は、２次成形部に埋没されることになるので、製造時にアンダーカットがでないような金型を選択することができる。さらに、１次成形部でコードを予め固定しているために、２次成形部のデザインの自由度の向上に資する。また、１次成形部の成形時にコードが万が一１次成形部の外側に飛び出しても、その上から２次成形部を成形するので、耳掛けハンガーにおいてコードが外側に飛び出るという外観不良を起こすことががない。
【００３１】
また、前記２次成形部は、１次成形部より柔軟な素材からなる。例えば、１次成形部の素材は、エラストマー樹脂、ポリプロピレン、ナイロンのいずれかであり、２次成形部の素材は、エラストマー樹脂、ポリウレタンのいずれかである。
【００３２】
これにより、耳掛けハンガーの柔軟性を確保することができ、耳介に耳掛けハンガーを装着しても不快感を与えることがない。
【００３３】
さらに、前記１次成形部が略つ字形状に形成されていると、耳掛けハンガーを耳介に容易に装着することができる。
【図面の簡単な説明】
【図１】本発明の実施の形態に係るヘッドホン等に用いられる耳掛けハンガーの概略的平面図である。
【図２】本発明の実施の形態に係るヘッドホン等に用いられる耳掛けハンガーの製造工程を示す概略的斜視図である。
【図３】本発明の実施の形態に係るヘッドホン等に用いられる耳掛けハンガーを用いたヘッドセットの概略的平面図である。
【図４】本発明の実施の形態に係るヘッドホン等に用いられる耳掛けハンガーを用いたヘッドセットの使用状態を示す概略的説明図である。
【符号の説明】
１００　　耳掛けハンガー
１１０　　１次成形部
１２０　　２次成形部
２００　　コード
３００　　スピーカー・マイクロホン部
Ａ　　　　ヘッドセット
Ｅ　　　　耳介
【図１】
2004104428.tif 000003
【図２】
2004104428.tif 000004
【図３】
2004104428.tif 000005
【図４】
2004104428.tif 000006